Podtech/llm-jp-corpus-v4-ja_patent huggingface dataset:
(57)【要約】【課題】幼児等の鼻穴を掃除する際、幼児が急に動いたりして、綿帽や幼児用のピンセットでは、粘着質な鼻水、鼻くそを迅速にかき出すことができなかったり、鼻の内部を傷つけてしまい幼児のグズル原因となっている。また成人の鼻毛も鼻穴内にこびり付き抜くことが困難になっている。【解決手段】軟質素材のコイル型ピンセット（１）のコイル（２）部分の沢山の溝があることにより、安全且つ迅速に鼻水や鼻くそをかき出すことが可能となる。また、コイル型ピンセット（１）は軟質素材でできている為、コイル部分が曲がるので、誤って強く挿入した場合でも鼻穴内部に傷をつける心配がなくなる。また硬質素材のコイル型ピンセットも（２）の部分の沢山の溝が鼻穴にこびり付いた鼻毛を容易に抜くことを可能とした。【選択図】図１
2005125032.tif 000002
【特許請求の範囲】
【請求項１】
ピンセットの先端部をコイル型にすることにより、鼻水、鼻くそを安全、迅速に取り除き、鼻毛、無駄毛をより容易に抜くことができる形状のピンセット。
【発明の詳細な説明】
【技術分野】
【０００１】  本発明は、安全性且つ迅速性を図った鼻穴掃除ピンセット及び鼻毛、無駄毛を抜く毛抜きの形状に関する。
【背景技術】
【０００２】  従来、鼻の掃除する際、綿帽、ちり紙、丸型の形状の鼻穴掃除器具は現状提供されているがコイル型の鼻穴掃除器具は、提供されていない。及び、成人の鼻毛を抜くのに適した毛抜きも提供されていない。【０００３】  しかし、幼児等の鼻穴を掃除する際、幼児が急に動いたりして、綿帽や幼児用のピンセットでは、粘着質な鼻水、鼻くそを迅速にかき出すことができなかったり、鼻の内部を傷つけてしまい幼児のグズル原因となっている。また成人の鼻毛も鼻穴内にこびり付き抜くことが困難になっている。
【発明の開示】
【発明の解決しようとする課題】
【０００４】上記のような綿帽や幼児用のピンセットで時間をかけて掃除することなく、安全且つ迅速に鼻の掃除を行うこと及び容易に鼻毛を抜く事が最重要課題である。
【課題を解決するための手段】
【０００５】本発明では上記課題を解決する手段とし、鼻穴内の粘着質な鼻水や鼻くそを迅速に取り出し、乳幼児は、もちろん鼻穴内粘膜の弱い大人まで安全、迅速に使用できる鼻穴掃除器具とした。また素材を変える事により成人用の鼻毛、無駄毛を容易に抜く毛抜きとした。
【０００６】図１のコイル型ピンセット（１）に鼻水や鼻くそをがき出しやすいよう先端部（２）をコイル状にし、安全且つ迅速に取り除ける構成のものとした。また図２の（５）部分の内側はコイルの曲線部を平面にし、鼻水、鼻くそ、鼻毛を掴み易くした。手で握る図１の（３）の部位は、適度な強度がでるように幅広とした。図１の（４）は、折り曲がる部位になるので適度な厚みを施すようにした。
【発明の効果】
【０００７】コイル型ピンセット（１）のコイル（２）部分の沢山の溝があることにより、安全且つ迅速に鼻水や鼻くそをかき出すことが可能となる。成人用の鼻毛を抜く場合も同様に鼻毛を抜く事が容易に可能となる。
【０００８】特に軟質製のコイル型ピンセット（１）は、（２）のコイル部分が曲がるので、誤って強く挿入した場合でも鼻穴内部に傷をつける心配がなくなる。またコイル型であることから、曲がり易く鼻穴内部の凹凸にこびり付いた鼻水や鼻くそがひっかかりやすく安全に取出せる。硬質製のコイル型ピンセットでも直接鼻穴に接触する部分は円形になっているので鼻穴内を傷つける心配は低くなる。
【発明の実施するための最良の形態】
【０００９】本発明のコイル型ピンセット（１）の製作に関しては、幼児等の鼻穴掃除を目的とした場合、使用素材に弾力性を備えたシリコン製又は、ゴム製とし、成人用の鼻毛、無駄毛を抜くことを目的にした場合は、通常のステンレス等の鉄素材とした。
【実施例】
【００１０】実施例について図面を参照して説明する。図１はコイル型ピンセットの斜視図である。コイル型ピンセット（１）に備えられた手握り部（３）を手で支え、コイル型先端部（２）を鼻の穴の中に挿入し、コイルの溝に鼻水や鼻くそを絡ませかきだす。成人用の鼻毛、無駄毛を抜く場合も同様となる。
【産業上の利用可能性】
【００１１】先端部をコイル上にすることにより、鼻穴内の鼻水、鼻くその掃除、鼻毛を抜くことに留まらず永久脱毛器の先端などにも使用できる可能性がある。
【図面の簡単な説明】
【００１２】
【図１】斜傾図
【図２】先端部の拡大図
【図３】実物大図
【符号の説明】
【００１３】１  コイル型ピンセット
２  コイル部
３  手握り部
４  折り曲部
５  挟み部
【図１】
2005125032.tif 000003
【図２】
2005125032.tif 000004
【図３】
2005125032.tif 000005
(57)【要約】      （修正有）【課題】この発明は，病床・臥床の老人の方々の楽臥と健康をサポートする健康シートを提供する。【解決手段】良質の炭化物とトルマリン，場合によっては酸化チタン等を混合させたミニ・ブロックで健康シートを構成した。【効果】炭化物効果，トルマリン効果，酸化チタン効果により，脱臭・調湿・マイナスイオン・床ずれ防止等の効果が得られた。【選択図】図１
2005125034.tif 000002
【特許請求の範囲】
【請求項１】
人の健康に有益な特性を持つ炭化物等と復元力の強い繊維，或いは，スポンシ状のものと接触一体化したものを，不透水の特性を持ち，且つ，空気等の気体は透過するシートによって，ミニ・ブロック形状にしたシート。
【発明の詳細な説明】
【発明の詳細な説明】
【発明に属する技術分野】
【０００１】  特に病床或いは老人向けの健康保持を目的とした寝床シートであって，一般的に炭化物の特性に加えトルマリン又は酸化チタン金属等を混合することによって，吸水性・調湿性・脱臭性・マイナスイオン・遠赤外線効果などを多く持たせることができる。圧縮硬化形状にすることが炭化物等の含量増加に寄与し，ミニ・ブロックのシート化が体圧効果と復元材料の挿入効果によって，一段とそれらの特性が発揮できるようにしたものである。
【背景技術】
【０００２】  病床或いは老人用の安楽シートとして発砲製品等を入れたブロック形状のシート，又は炭化物を含浸乃至は織り込んだ布等を使用したものはあるが，何れも，健康効果を促すほどの炭化物の量ではなく，且つ物理的な体圧的効果も持たない，気やすめ的なものが一般的である。
【発明が解決しようとする課題】
【０００３】  人の健康に有益な諸々の特性を持った炭化物，トルマリン，酸化チタン粉体を圧縮固形容量化することによって，臥床における健康の保持，回復の為に出来るだけの容量を備え，体重圧と常に変動する重圧にも考慮し，状態変動の激しさに耐える形状としてミニ・ブロック化シートとし，固形炭化物が屎尿，水等を吸収しない為に，更には炭化物等の特性を活躍させるためには，不透水性であるとともに，空気等気体の透過性をもった耐久性の強いシートであることにした。又，ミニ・ブロック内シートが常に膨らみ，空気等の充満状態が維持できるようにクッション材を挿入固定化することとした。
【課題を解決するための手段】
【０００４】  解決するための構成を説明すると，
（イ）炭化物等は密度を高め容量を大にするため圧縮固形体とする。
（ロ）ミニ・ブロック区画内の空気層の流動を図るため，膨らみを保持する復元力の強いクッション材を挿入する。
（ハ）水等は一切透さず，空気等気体は透過する高機能シートを使用する。
【発明を実施するための最良の形態】
【０００５】  炭化物等の特性機能を十分に発揮できる軟粗体の圧縮固形体に仕上げた形状体に復元力の強いクッション材を，一方或いは，双方面に当てミニ・ブロック内シートに納めることによって，臥床体が，例えば，寝返りをしたときに，復元力で外層気がシートを透して内部に，そして加圧された他のミニ・ブロック内は浄化・脱臭等の空気が排出すると云った具合に，自動復元作用による炭化物等特性の閉鎖がされることがない。又，臥床体の重量が一番に架かる腰の部から背中の当りの下部に敷けば，シートのミニ・ブロックの谷間凹凸による血行促進・体圧分散効果があり，床ずれの症状を防止することも有効である。
【発明の効果】
【０００６】  病床，臥床の老人の方々の楽臥の効果と健康をサポートする効果として，炭化物効果，トルマリン効果，酸化チタン効果を併せ活用させることの出来るミニ・ブロック形状のシートにしたものである。
【図面の簡単な説明】
【図１】本説明の実施例とイメージ例を示すミニ・ブロックシートの斜視面図である。
【図２】本発明の混合加圧成形物の例を示す炭化物等の斜視図である。
【符号の説明】
１．  混合（炭化物・トルマリン・酸化チタン等）固形炭化物等体
２．  ミニ・ブロックシート
３．  クッション材
【図１】
2005125034.tif 000003
【図２】
2005125034.tif 000004
(57)【要約】【課題】本発明は、バネ式挟み具の先端に取替式のローラーを設けた、手指や足指や指先のマッサージ具を提供する。【解決手段】押さえ部と挟み部の間の支点部に、バネを取付け、開閉自在とし、挟み部の先端に切り欠き部を設け、この切り欠き部に、取替式のローラーを取付けることによって、指先をローラーの間に挟み本体を前後に動かすことによって、指先のマッサージ効果を出すことを特徴とする、手、指先のローラー式マッサージ具。【選択図】図１
2005125040.tif 000002
【特許請求の範囲】
【請求項１】
押さえ部と挟み部の間の支点部に、バネを取付け、開閉自在とし、挟み部の先端に切り欠き部を設け、この切り欠き部に、取替式のローラーを取付けることによって、患部の指先をローラーの間に挟み本体を前後に動かすことによって、指先のマッサージ効果を出すことを特徴とする、指先のローラー式マッサージ具。
【発明の詳細な説明】
【技術分野】
【０００１】  本発明は、バネ式挟み具の先端に取替式のローラーを設けた指先のマッサージ具であって、押さえ部と挟み部の間の支点部にバネを取付け開閉自在とし、挟み部の先端に切り欠き部を設け、この切り欠き部に取替式のローラーを取付けることによって、患部の指先をローラーの間に挟み本体を前後に動かすことによって、指先のマッサージ効果を出す、マッサージ具に、関するものである。
【背景技術】
【０００２】  従来、電動式で、本体を振動させて患部に当てながら使用する、電気マッサージ器具があった。
【発明の開示】
【発明が解決しようとする課題】
【０００３】  そのために、次のような問題点があった。
（イ）  本体の装置が大掛りで高価である。
（ロ）  マッサージ器具を作動させる為に電力がかかる。
本発明は、これらの問題点を解決するためになされたものである。
【課題を解決するための手段】
【０００４】  押さえ部と挟み部の間の支点部にバネを取付け、開閉自在とする。挟み部の先端に切り欠き部を設け、この切り欠き部に、取替式のローラーを取付けることによって、患部の指先をローラーの間に挟み本体を前後に動かすことによって、指先のマッサージ効果を出す、以上を特徴とする指先マッサージ具である。
【発明の効果】
【０００５】  本発明は、簡単な構造であり電力を使わず軽便に患部、手、指、足指などを手動式で、マッサージをすることができる器具である。
【発明を実施するための最良の形態】
【０００６】  以下、本発明の実施の形態についてする。
（イ）  対向する二つの片からなり、各片の後端を押さえ部（１）とし、先端を挟み部（２）とし、中間に支点となる支点部（３）を設けて、支点部（３）にバネ（６）を取付けることにより、後端の押さえ部（１）を押さえることにより、先端の挟み部（２）が開閉自在となる。
（ロ）  各片の先端に切り欠き部（７）を設け、更に切り欠き部（７）の両側に貫通させた留穴（８）を設け、取替式ローラーの中心に軸穴（１０）を設け、切り欠き部（７）にローラー（５）を装着した後に、一端に留部（９ｂ）を有する回転軸（９ａ）を切り欠き部の留穴（８）及びローラー（５）の軸穴（１０）に貫通させ、軸受け（９ｃ）で止める。軸受け（９ｃ）は回転軸（９ａ）に冠着自在に留める。
（ハ）  取替式ローラーは円柱型で表面が平らな平型ローラー（５ａ）、円柱型で表面に縦型の凹凸をつけた波板縦型ローラー（５ｂ）、円柱型で表面に横型の凹凸をつけた波板横型ローラー（５ｃ）など、ローラー表面に形状の変化をつけたものを本体の挟み部（２）の先端に装着して使用する。
本発明は、以上のような構成からなるので、本発明を使用するときは、片手で、押さえ部（１）を押さえることにより、挟み部（２）が自在に開閉されるので、もう片方の手、指先に本体の先端にあるローラーの具合をみながら合わせて前後に動かすことによって、指先のマッサージ効果を出す、手、指先マッサージ具である。
【実施例１】
【０００７】  図６に示すように中心に軸穴（１０）を有する取替式のローラーは円柱型で表面が平らな円柱平型ローラー（５ａ）、円柱型で表面に縦型の凹凸をつけた円柱波板縦ローラー（５ｂ）、円柱型で表面に横型の凹凸をつけた円柱波板横ローラー（５ｃ）など、ローラー表面に変化をつけたものを本体の挟み部（２）の先端に装着して使用する。尚、ローラーは硬質、軟質などバリエーションを持たせても良い。
【図面の簡単な説明】
【０００８】
【図１】  本発明の斜視図
【図２】  本発明の側面図
【図３】  本発明の分解図
【図４】  本発明の要部拡大断面図
【図５】  本発明の使用状態を示す斜視図
【図６】  本発明の取替式のローラーの斜視図であって、イは円柱平型ローラー、ロは円柱波板縦型ローラー、ハは円柱波板横型ローラーを示す。
【符号の説明】
【０００９】    １    押さえ部
２    挟み部
３    支点部
４    挟持片
５    ローラー
５ａ  円柱平型ローラー
５ｂ  円柱波板縦型ローラー
５ｃ  円柱波板横型ローラー
６    バネ
７    切り欠き部
８    留穴
９ａ  回転軸
９ｂ  留部
９ｃ  軸受け
１０  軸穴
【図１】
2005125040.tif 000003
【図２】
2005125040.tif 000004
【図３】
2005125040.tif 000005
【図４】
2005125040.tif 000006
【図５】
2005125040.tif 000007
【図６】
2005125040.tif 000008
(57)【要約】【課題】この発明は水洗式便器の大便による汚れを防止することにより、水の消費量を減らし、併せて排水処理や環境汚染に対する負担を少なくするトイレットペーパーに関するものである。【解決手段】便器（１）の大便が落ちる部分（３）に幅広のトイレットペーパー（２）を敷き、用便後、水洗水で敷いたトイレットペーパーと共に大便を流す事により便器の汚れを防止する。【選択図】図１
2005125054.tif 000002
【特許請求の範囲】
【請求項１】
幅１８０ｍｍから幅２５０ｍｍのトイレットロールペーパー
【発明の詳細な説明】
【発明の詳細な説明】
【技術分野】
【０００１】この発明は従来のトイレットペーパーの用途の外に便器の汚れを防止する目的と節水を可能にし、洗浄剤による環境汚染を少なくするトイレットペーパーである。
【背景技術】
【０００２】従来市販されているトイレットペーパーは幅がおよそ１１４ｍｍ程度であり、用便後の後始末には十分な幅であるが、便器を汚れから守る目的は課せられていなかった。
また従来の考え方は便器を大量の水洗水で洗い流すために水の消費量が多く、家計の中で無視出来ない水道代及び下水代を支払わなければならない。また洗浄性を向上させるためのトイレ洗浄剤を用いると排水中にリンなどの富養化物質が含まれ排水処理に負担をかけると共に環境汚染の原因となっている。
【発明が解決しようとする課題】
【０００３】山間部を除いて水洗式便器が普及している、しかしながら水洗式便器は水中の微量な塩素やフッ素などの影響で、長期間使用すると陶器表面に微細な腐食面が出来て滑らかさが阻害され、便による汚れが残りやすくなる。
便器表面に汚れがつきにくいトイレ洗浄剤も多種発売されているが、便器が新しい間は比較的効果も有るが、古くなって滑面が失われるとその効果も減衰する。
本発明は、大便などによる便器の汚れを防ぎ、大量に水を使う現在の方法を改善し、併せてトイレ洗浄剤による環境汚染を防ぐものである。
【課題を解決するための手段】
【０００４】本発明では便器底部に幅広トイレットペーパーを敷き、この上から排便し、排便後洗浄水によりトイレットペーパーごと排泄物を洗い流す方法で課題を解決した。
【発明の実施形態】
【０００５】次に本発明の実施形態についてのべる、便器（１）、（１’）の大便が落ちる部分（３）、（３’）に本発明のトイレットペーパー（２）、（２’）を長さ３０ｃｍ〜３５ｃｍ程度の適当な長さに切断して予め敷き、この上から排便し、排便後洗浄水を流すことによりトイレットペーごと排泄物を流し去ることで一切の汚れは残らない、また従来の洗浄法とは異なり、トイレ洗浄剤を用いずに、およそ２／３程度の水量でトイレが詰まることなく、十分最後まで洗浄出来ることが実験により判明した。
【発明の効果】
【０００６】従って便器は便で汚れる事が無いので、あらためて清掃の必要も無くなり、水の消費量も低減し家計に占める水道、下水道代を節約する事が出来る、またトイレ洗浄剤を用いる必要が無いので排水処理や環境に与える負担を軽減できる。
【実施例１】据付後２０年を経過した洋式水洗トイレに１０年前に後付け式のウオシュレットを取り付けた便器（１）に従来の幅１１４ｍｍのトイレットペーパーを接着剤で接着し幅約２５０ｍｍ、長さ約３００ｍｍのトイレットペーパー（２）を作りこれを該便器の大便が落ちる部分（３）に敷きこの上から排便し、水タンク内のボールタップのボール高さを調整して従来の満水状態のおよそ２／３の水量で貯水が停止するようにした。この水洗トイレを実験台にして１年間実験を重ねたが、トイレの詰まりや、便器が汚れる事は殆ど無く、快適に使用する事が出来た。念のため、テイッシュペーパ（１９７ｍｍ×２２９ｍｍ）で同様の実験を試みたが大きさが不十分で便器を汚れから守る目的ではやや不十分な大きさであることが判明した。
このトイレは実験を始める前までは、排便による汚れがひどく、使用後必ずと言って良いほど便器ブラシで掃除をする必要があり、そのため水の消費量も多く、水タンクに入れるトイレ洗浄剤なども何種類も使って見たが、効果はあまり無かった。
【実施例２】据付後２０年を経過した和式水洗トイレ（１’）に幅約１８０ｍｍ、長さ約３５０ｍｍのトイレットペーパー（２’）を該便器の大便が落ちる部分（３’）に敷き、実施例１と同様の実験を１０回試みたが、便器が排便で汚れることは全く無かった。
【図面の簡単な説明】
【０００７】
【図１】本発明の実施例１の便座を上げた状態の平面図
【図２】本発明の実施例１の便座を下ろした状態の平面図
【図３】本発明の実施例２の平面図
【符号の説明】
１は実施例１の洋式水洗トイレ
２は実施例１で用いたトイレットペーパー
３は実施例１の便器の大便が落ちる位置
４は便座
１’は実施例２の和式水洗トイレ
２’は実施例２でもちいたトイレットペーパー
３’は実施例２の便器の大便が落ちる位置
【図１】
2005125054.tif 000003
【図２】
2005125054.tif 000004
【図３】
2005125054.tif 000005
(57)【要約】【課題】一日何十回となく行なわれている、飲み物を口に運ぶという動作に着目し、コップを重くすることで、日常的に継続して筋肉トレーニングをすることも可能にする。【解決手段】従来のコップは、重いものでも５００グラム程度のため、２・３本の指で持つことができるが、本発明の重いコップは、ビアジョッキのように手全体でグリップできるものでなければならない。さらに、重いコップを口に運んだ後、机の上に置く際の衝撃を和らげるために、底の接地部分にゴム等の緩衝材を取り付けることが望ましい。【選択図】図１
2005125051.tif 000002
【特許請求の範囲】
【請求項１】
鉄アレー並みにコップを重くし、それを毎日使うことで、一日何十回となく行なわれている、飲み物の入った容器を口に運ぶという動作により、日常的に継続して筋肉トレーニングが可能な、運動器具を兼ねる重いコップ。
【請求項２】
ビアジョッキのように手全体でグリップする持ち手を持った
請求項１記載の重いコップ。
【請求項３】
重いコップを口に運んだ後、机の上に置く際の衝撃を和らげるために、底の接地部分にゴム等の緩衝材を付けた
請求項１記載の重いコップ。
【請求項４】
コップの底の部分に、重さの違った重りを付け替えることができるコップ。
【請求項５】
ビアジョッキのように手全体でグリップする持ち手を持った
請求項４記載の重いコップ。
【請求項６】
重りを取り付けたコップを口に運んだ後、机の上に置く際の衝撃を和らげるために、重りの接地部分にゴム等の緩衝材を付けた
請求項４記載の重いコップ。
【発明の詳細な説明】
【技術分野】
【０００１】  本発明は、運動器具兼用のコップに関するものである。
【背景技術】
【０００２】  鉄アレーを持っている人は、気が向いた時に鉄アレーで筋肉トレーニングをするが、毎日継続して筋肉トレーニングをする人はあまり見かけない。【０００３】  そこで、一日何十回となく行なわれている、飲み物の入った容器を持って口に運ぶという動作に着目し、鉄アレー並みにコップを重くすれば日常的に筋肉トレーニングをすることができる。
【特許文献１】特許２００３−８８４５７号公報
【発明の開示】
【発明が解決しようとする課題】  従来のコップは、実用性重視のために軽量化が図られており、筋肉トレーニングに使用することはできない。
【発明が解決するための手段】
【０００４】  コップを重くすることで、必然的にそのコップに入った飲み物を飲みながら筋肉トレーニングをすることができ、それも恒常的に継続することが可能であるため、筋力アップには最適である。
【発明の効果】
【０００５】  一日何十回となく行なわれている、飲み物の入った容器を持って口に運ぶという動作にその飲み物を入れる容器を重くするという負荷を加えることで、筋肉トレーニングをすることも可能となる。
忘れがちな鉄アレーによる筋肉トレーニングが、誰でも必ず行う飲むという行為と結びつけることによって否応なしに、無意識のうちに筋肉トレーニングをすることができる。
鉄アレーを職場の机の上に、常時置いておくことは不自然で一般的でないが、重いコップであれば違和感なく一年中置いておくこともできる。
【発明を実施するための最良の形態】
【０００６】  本発明の重いコップは、従来のコップのように指で支えるものではなく、ビアジョッキのように手全体でグリップできるものでなければならない。一体型のコップの重さは、せいぜい２ｋｇ程度が望ましい。飲み終わった後、そのコップを本人が洗うとは限らないからである。飲み終わった後、いつも本人が洗うのであれば、脱着型の重りを変えることで重さを無制限に調節することができる。さらに、脱着型であれば重さを少しずつ重くするなど調節することで、リハビリにも応用は可能である。
【実施例】
【０００７】  重いコップを口に運んだ後、机の上に置く際の衝撃を和らげるために、底の接地部分にゴム等の緩衝材をつける。
【産業上の利用可能性】
【０００８】  製造コストを安く設定するためには鋳造が望ましいため、複雑な構造は適さない。【０００９】  マイコップとして職場で使用するためには、重さを感じさせないデザインであることが望ましい。
【図面の簡単な説明】
【００１０】
【図１】一体型
【図２】脱着型
【符号の説明】
【００１１】  １  付け替え用おもり
２  衝撃緩衝材
【図１】
2005125051.tif 000003
【図２】
2005125051.tif 000004
(57)【要約】【要約書】【課題】    Ａ．  ギョウザという本来調理して始めて食する事ができ、又調理しても時間が立つとすぐに乾燥し固くなってしまった。    Ｂ．  又、ギョウザ自体が多種の具材を必要とし又味付等微妙なため、日本人の大好物とは言え、家庭で作る事はほとんどなくなっていた。【解決手段】ギョウザと言うカレーライス、ラーメン、につぐ日本人の大好物をパンに封じ込め提供する事により何時でも何処でも食する事ができ、又長く保存する事ができるようになった。このことにより、ギョウザ業界だけでも、パン業界だけでも実施できなかった本発明諸請求項のような新しい一つの食文化産業を創造することができるようになった。【選択図】図１
2005125043.tif 000002
【特許請求の範囲】
【請求項１】
ハマグリ具形状をした容器を形成し該容器の開閉保持基底部をちょうつがいにして保持する構造とした事を特徴とするハマグリ形ギョウザパン製造容器型
【請求項２】
本発明請求項１のハマグリ具形状を接合部が波状をなす真珠貝形状に置換してなる真珠貝形ギョウザパン製造容器型
【請求項３】
本発明請求項１、２の該容器型に於いてちょうつがいに開状指向性のバネを装備させたバネ付ちょうつがい５で保持する事を特徴とする開状指向性ギョウザパン製造容器型
【請求項４】
本発明請求項１及び２、３の該容器型開状状態にある型に該容器型の開状径に合致するように形成した円形ピザ様パン生地を該容器型の中点を同心するように設置して、該パン生地の周縁部を水で濡らして該生地の上に一般的なギョウザ具材を充填して該貝形状の容器型を閉じる事により該容器型の接合部の圧力によりパン生地周縁部を圧着してギョウザパンベースを構成しこれを焼き上げてなるギョウザパン及びその製造方法
【請求項５】
本発明請求項４のギョウザ具材をホタテ、エビ、カニ、カイ等の具材で置換してなる海鮮ギョウザパン
【請求項６】
本発明請求項４のギョウザ具材をきのこベースにした事を特徴とするきのこギョウザパン
【請求項７】
本発明請求項４のギョウザ具材を山菜ベースにした事を特徴とする山菜ギョウザパン
【請求項８】
本発明請求項４〜７のギョウザ具材にカレー粉を混入させてカレー風味とした事を特徴とするカレー風味ギョウザパン
【請求項９】
本発明請求項４〜７のギョウザ具材にいわゆる薬膳漢方植材を加味してなる薬繕ギョウザパン
【請求項１０】
本発明請求項４のギョウザ具材をみつまめで置換した事を特徴とするみつまめギョウザパン
【請求項１１】
本発明請求項４のギョウザ具材をくだもので置換してなるデザートギョウザパン
【請求項１２】
本発明請求項４のギョウザ具材をあんこ、ジャム、チョコ、クリーム等のいわゆる菓子パン具材で置換した事を特徴とする菓子ギョウザパン
【請求項１３】
本発明請求項３〜１２を油で揚げてなる各請求項の揚げギョウザパン
【発明の詳細な説明】
【技術分野】
【０００１】食パン及びファーストフード業界に関る
【背景技術】従来食パン業界では多種多様なパンが製造されて世に出て来た。そしてその中に人々にこよなく愛されたアンパン、カレーパン、メロンパン、ジャムパン等があった。
【発明の開示】
【発明が解決しようとする課題】
【０００３】しかし、国民に愛されて止まらない食品にギョウザがあるが、このギョウザだけはパンとして世に出る事はなかった。それはギョウザが１つにはすでに包み込まれた調理用品であり、それをまたパン生地で包み込む必要もないという固定概念より来ていると考えられる。
【課題を解決するための手段】
【０００４】しかし、これはあくまでも植えつけられた又は習慣化した概念であってギョウザの皮をパン生地に置き換えれば済む事であった。
【発明の効果】
【０００５】本発明は次の効果がある。
Ａ．  調理しなければ食べられなかったギョウザを何時でも何処でも食する事が出来るようになった。
Ｂ．  一般に未調理、調理を問わずギョウザはすぐに乾燥して食せなくなるという不具合があったが、これが本発明の登場で改善される。
Ｃ．  定形化し又、マンネリ化したパン業界に新風を吹き込み新たな市場、物流を創造する。
Ｄ．  まったく新しい食文化産業の可能性を生んだ。
【発明を実施する為の最良の形態】
【０００６】発明者はその上記解決手段の思いより色々実験してみるとパン生地で各種ギョウザ具を包み焼き上げてみると実によいマッチした食感味覚がかもしだされる事がわかった。又油で揚げると又独特の風味を加味することが出来た。
【実施例】
【０００７】本発明請求項１の実施例を図１について見ると左右の容器型側壁部６がちょうつがい４により基底で保持されている。又、その頭頂部の接合部３により容器型が密閉される構成となっている。【０００８】本発明請求項２の実施例を図４について見るとその接合部３が接合時に波状にかみ合うように構成され図指８番で表示されている。【０００９】図３では本発明請求項３のバネ付ちょうつがい５を装備させたハマグリ型ギョウザパン製造容器型１の開状状態を表わす平面実施図である。【００１０】本発明請求項４の実施例は図２を参照する事によりなる。
【産業上の利用可能性】
【００１１】  Ａ．  日本ばかりか諸外国へのファーストフードチェーン展開の可能性も生まれた。
Ｂ．  本発明の容器型によれば、おにぎり、ワンタン、ヤツハシ、カシワモチ等、型の大きさと若干の形状の変化により、ハンディでポータブルな業務用から一般家庭での使用までその範囲はすこぶる広がる。
【図面の簡単な説明】
【図１】  ギョウザパン製造用容器型の断面図である
【図２】  ギョウザパン製造用容器型の開状時平面図である
【図３】  該容器型の閉状時平面図である
【図４】  本発明請求項２の赤貝型ギョウザパン製造容器型の閉状時平面図である
【符号の説明】
１．  ハマグリ形ギョウザパン製造容器型
２．  真珠貝形ギョウザパン製造容器型
３．  接合部
４．  ちょうつがい
５．  バネ付ちょうつがい
６．  容器型側壁部
７．  ハマグリ形ギョウザパン製造容器型の平たん接合部
８．  真珠貝形ギョウザパン製造容器型の波形接合部
９．  バネサポーター
１０．バネ
１１．開状指向性ギョウザパン製造容器型
１２．容器型の中点
【図１】
2005125043.tif 000003
【図２】
2005125043.tif 000004
【図３】
2005125043.tif 000005
【図４】
2005125043.tif 000006
(57)【要約】      （修正有）【課題】薄板円筒で出来たゴム手袋の着脱及び乾燥用具を提供する。【解決手段】円筒１はゴム手袋４を着けたまま人の手の甲が容易に通過できる大きさの薄板円筒状パイプとし、長さを手の甲が隠れる程度とする。また、左右一対で使用するため、円筒１の両端サイズは肉厚だけの差を付けてお互いに差込み可能にすると共に円筒１の縁の周囲にゴム手袋４の引っ掛かりを良くするためのダボ２、及び、乾燥用の通気穴３を円筒１の全体に設ける。【選択図】図１
2005125050.tif 000002
【特許請求の範囲】
【請求項１】
人の手の甲が容易に通過できる程度の大きさの薄板円筒状のゴム手袋の着脱乾燥用パイプ。
【発明の詳細な説明】
【技術分野】
【０００１】本発明は、薄板楕円筒パイプで出来たゴム手袋の着脱乾燥用パイプに関するものである。
【背景技術】
【０００２】従来、積極的な手袋着脱装置や器具は無く、乾燥用としては単にハンガーに掛けるか、温風器によるものがあった。
【特許文献】特開２００１−２３４５号
【特許文献】特開平５−１６８７９９号
【特許文献】特開平９−２８５４０３号
【発明の開示】
【発明が解決しようとする課題】
【０００３】そのために、次のような問題点があった。
（イ）手袋の内面が湿って、脱ぐのが容易でないことが多く、脱いでも当然裏返しの状態になること。
（ロ）裏返しの状態から手に、はめるまでの動作が面倒であること。
（ハ）放置したままで自然乾燥しにくいこと。
本発明は、これらの動作上の煩わしさを解決するために、極力単純な形状でなされたものである。
【課題を解決するための手段】
【０００４】ゴム手袋を着けた人の手の甲が容易に通過できる大きさの、薄板筒状パイプを特長とする、ゴム手袋の着脱乾燥用パイプである。
【発明の効果】
【０００５】  形状を単に円筒状にするという極端に単純化したことにより、常用性は増し、意外に困難なゴム手袋の着脱及び乾燥が容易に得られる。
【発明を実施するための最良の状態】
【０００６】以下、本発明の実施の形態について説明する。
（イ）筒（１）は楕円筒で、長さは手の甲が隠れる程度である。
（ロ）左右一対で使用するために、筒（１）の両端のサイズは肉厚だけの差を付けて、お互いに差込み可能にする。
（ハ）ゴム手袋（４）の縁（５）の引っ掛かりを良くするため筒（１）の縁の周囲に複数の引っ掛かりダボ（２）を設ける。
（ニ）ゴム手袋（４）の外側の乾燥のために、筒（１）の全体に複数の通気穴（３）を設ける。
本発明は以上のような構造で、これを使用するときは、図２に示すように、楕円筒（１）の中にゴム手袋（４）を着けた手を手首まで差込み、ゴム手袋（４）の縁（５）をめくり広げ、円筒の縁に引っ掛け、図３に示すように、指先部を外しながら手を引き抜く。
装着するときは、以上と全く逆の動作をすればよい。即ち、ゴム手袋（４）の付いた筒（１）の中に手を入れて、指先部に指を差し込み、ゴム手袋（４）の縁（５）を手首に戻す。
このときゴム手袋（４）の縁（５）は広げられたままであるから、手の挿入は容易で、先端の指先部を入れるのも差ほど困難はない。
【実施例１】
【０００７】図４に示すように、円筒（１）をスタンド（６）に左右一対装着して、乾燥しやすくしてもよい。なお、スタンド（６）は従来の市販品を使用する。
【図面の簡単な説明】
【０００８】
【図１】  本発明の斜視図である。
【図２】  本発明の使用状態を示す斜視図である。
【図３】  本発明の使用状態を示す斜視図である。
【図４】  本発明の他の実施例を示す斜視図である。
【符号の説明】
【０００９】      １  円筒
２  ダボ
３  通気穴
４  ゴム手袋
５  ゴム手袋の縁
６  スタンド
【図１】
2005125050.tif 000003
【図２】
2005125050.tif 000004
【図３】
2005125050.tif 000005
【図４】
2005125050.tif 000006
(57)【要約】【課題】腹筋を鍛える運動ができる椅子を提供する。【解決手段】後輪台の上部にコイルバネ支柱を設け、その上部にハンドルを設け、ハンドルにクッションを取り付けることを特徴とする腹筋鍛練椅子。【選択図】図１
2005125046.tif 000002
【特許請求の範囲】
【請求項１】
後輪台の上部にコイルバネ支柱を設け、その上部にハンドルを設け、ハンドルにクッションを取り付けることを特徴とする腹筋鍛練椅子。
【発明の詳細な説明】
【技術分野】
【０００１】  本発明は、腹筋を鍛える運動ができる椅子に関するものである。
【背景技術】
【０００２】  従来、腹筋を鍛える運動は、ベンチに横になり上体を起こすシットアップ等が行われていた。
【発明の開示】
【発明が解決しようとする課題】
【０００３】  それには、次のような問題点があった。
（イ）運動するとき、広い場所が必要だった。
（ロ）運動しないとき、器具の置き場所に困った。
本発明は、これらの問題点を解決するためになされたものである。
【課題を解決するための手段】
【０００４】  後輪台の上部にコイルバネ支柱を設け、その上部にハンドルを設ける。ハンドルにクッションを取り付ける。以上を特徴とする腹筋鍛練椅子である。
【発明の効果】
【０００５】  横にならずに、椅子に座って運動するので狭い場所でも運動できる。また運動しないときは普通の椅子として使用することができ、部屋に置いていても邪魔にならない。
【発明を実施するための最良の形態】
【０００６】  以下、本発明の実施の形態について説明する。
（イ）後台輪（１）の中央上部にコイルバネ支柱（２）を背もたれ（３）に触れないように立てて設け、その上部に腕を掛けるためのハンドル（４）を設ける。
（ロ）ハンドル（４）とコイルバネ支柱（２）に背中が触れないようにするため、ハンドル（４）に湾曲自在のクッション（５）を取り付ける。
本発明は、以上のような構成で、これを使用するときは、椅子に腰を下ろし、ハンドル（４）に両腕を掛け、腹筋の力で上体を前方及び左右に倒す運動を繰り返し行う。
【実施例１】
【０００７】  ボルト（６）を外し、コイルバネ支柱（２）を交換できるようにして、使用者の体力に合わせてバネの強さを変えられるようにしてもよい。
【図面の簡単な説明】
【０００８】
【図１】本発明の斜視図
【図２】本発明の別方向から見た斜視図
【図３】本発明の使用状態を示す側面図
【図４】本発明の使用状態を示す正面図
【符号の説明】
【０００９】１  後輪台
２  コイルバネ支柱
３  背もたれ
４  ハンドル
５  クッション
６  ボルト
【図１】
2005125046.tif 000003
【図２】
2005125046.tif 000004
【図３】
2005125046.tif 000005
【図４】
2005125046.tif 000006
(57)【要約】【課題】本発明を動物の犬を一例として挙げた場合、犬の前肢にあたる部分を倒立および首にあたる部分の角度を変化させる事により据え置いて使用可能な機能を備えつつ、犬の肛門にあたる部分にある穴を壁掛け時計の要領で壁に掛けて使用可能とする。これにより用途に応じて臨機応変に使用が可能となる。さらに非使用時はインテリアとしても使用可能な外見を備える。【解決手段】動物の犬の前肢にあたる部分を必要に応じて倒立させ、首にあたる部分を必要に応じて角度を変化させる事により据え置きながら使用できる。これにより手にドライヤーを持たずともドライヤーを使用でき、犬の肛門にあたる部分に設けられた穴を壁掛けの時計の要領で壁に掛けて使用できる機能も兼ね備える。この二つの機能を備える事により用途に応じて臨機応変に使用できる。さらにインテリアに転用可能な外見を備え、非使用時にはインテリアとして使用でき収納場所を確保する必要がない。【選択図】図３
2005125047.tif 000002
【特許請求の範囲】
【請求項１】
本発明を動物の犬を一例にして挙げた場合、必要に応じて犬の前肢にあたる部分を倒立させる事、及び首にあたる部分の角度を変化させる事により、据え置いて使用が可能な機能を備えつつ、犬の肛門にあたる部分に設けられた穴を壁掛けの時計の要領で壁掛けが可能な機能を備え、用途に応じて臨機応変に使用できる機能を備えた事を特徴とするドライヤー。
【請求項２】
インテリアに転用可能な外見を備える為、非使用時に収納場所を確保する必要がない事を特徴とするドライヤー。
【発明の詳細な説明】
【技術分野】
【０００１】  この発明は壁に掛けて使用することも、テーブルや床において使用する事も可能なドライヤーに関するものである。
【背景技術】
【０００２】  これまでの発明で手に持たずとも使用できる発明はあった。『三脚内蔵の取手付きドライヤー』は三脚になる取手を内蔵し、ドライヤー本体を据えて使用することが出来る。【０００３】    しかし、手に持たずに使用する場合は必ず三脚を置くスペースが必要である、という欠点がある。同様に壁掛け可能なドライヤーは存在するが、手に持たずに使用するときはやはり必ず壁に掛ける必要がありスペースを必要とする。【０００４】  これらの欠点は臨機応変にいつでも使用したいという要望に答える事は出来ない。具体的には、テーブルに据え置いてある程度髪を乾かした後、鏡の前で髪をセットしながら乾かした場合、鏡の前にも平行あるいはそれに近い据え置くスペースが必要である。逆に壁掛け可能なドライヤーの場合も手を使わずに髪を乾かす場合は壁際に必ず移動しなければならず、テーブル等の上に鏡を置いて髪をセットする際はやはり手に持って使用しなければならない。【０００５】  ドライヤーは非使用時には壁に掛けておく、または洗面台等の下にしまう等して収納しなければならず、ドライヤーを掛ける空間または収納場所を確保しなければならない。
【特許文献１】特開２００３−１１６６２５号公報
【発明の開示】
【発明が解決しようとする課題】
【０００６】  解決しようとする問題点は、用途に応じて臨機応変に使用できない点、および収納場所を確保しなければならない点である。
【課題を解決するための手段】
【０００７】  本発明は、用途に応じて臨機応変に使用可能であるため、使用場所を選ばない点を最も主要な特徴とする。また、本発明は外見がインテリアに転用できる形状をしている為、インテリアとして飾る事により収納場所を確保せずとも良い点も兼ね備える。
【発明の効果】
【０００８】  本発明のドライヤーは、据え置き可能な形状を備え、かつ壁掛け可能な形状を備えている為、臨機応変に使用できるという利点がある。またインテリアに転用可能な形状の為、収納場所を確保せずとも良いという利点も兼ね備える。
【発明を実施するための最良の形態】
【０００９】  ドライヤーを手に持たずとも使用できるという目的を、臨機応変に使用できる形態で実現し、外見上の特長により収納場所にバリエーションを持たせることを実現した。
【実施例１】
【００１０】  図１は本発明を動物の犬を一例に挙げて表した犬の上半身の斜め前面図を図で表した図であって、犬の口に当たる部分から送風される。犬の前肢に当たる部分を必要に応じて倒立させ使用する。【００１１】  図２は本発明を動物の犬を一例に挙げて表した図で、使用時に犬の前肢に当たる部分を倒立させ据え置いた状態を図で表したものである。
【実施例２】
【００１２】  図３の実施例は本発明を動物の犬を一例に挙げて壁に掛けて使用する場合を正面から表したもので、犬の肛門に当たる部分にある穴を壁掛けの時計を掛ける時と同様にして掛けたものである。【００１３】  図４は本発明を動物の犬を一例に挙げて表した場合の仕脚を下側から表した図で、後方の仕脚の間にある穴を使用して壁に掛け使用できる。
【図面の簡単な説明】
【００１４】
【図１】ドライヤーの実施方法を示した説明図である。（実施例１）
【図２】ドライヤーの実施方法を示した説明図である。（実施例１）
【図３】ドライヤーの実施方法を示した説明図である。（実施例２）
【図４】ドライヤーの実施方法を示した説明図である。（実施例２）
【符号の説明】
【００１５】  １送風口
２支脚
３吸気口
４穴
５滑り止め
【図１】
2005125047.tif 000003
【図２】
2005125047.tif 000004
【図３】
2005125047.tif 000005
【図４】
2005125047.tif 000006
(57)【要約】【課題】メンテナンスが容易な枚葉紙印刷機を提供する。【解決手段】枚葉紙印刷機１は、胴２の方に向けられ、かつ胴２に合った凹状輪郭７を有する乾燥機４を備えている。乾燥機４は送風部６と風案内部５とに分割され、凹状輪郭７が風案内部５に形成され、送風部６が風案内部５に対して位置調整可能に支持されている。【選択図】図１
2005125739.tif 000002
【特許請求の範囲】
【請求項１】
胴(２)の方に向けられ、かつ該胴(２)に合った凹状輪郭(７)を有する乾燥機(４)を備えた枚葉紙印刷機(１)において、
前記乾燥機(４)が送風部(６)と風案内部(５)とに分割され、前記凹状輪郭(７)が前記風案内部(５)に形成され、前記送風部(６)が前記風案内部(５)に対して位置調整可能に支持されていることを特徴とする枚葉紙印刷機。
【請求項２】
前記風案内部(５)が前記胴(２)に対して作動位置と非作動位置とに選択的に位置調整可能に支持されている、請求項１に記載の枚葉紙印刷機。    
【請求項３】
前記風案内部(５)が実質的に格子状に形成されている、請求項１または請求項２に記載の枚葉紙印刷機。
【発明の詳細な説明】
【技術分野】
【０００１】
本発明は、胴の方に向けられ、かつ該胴に合った凹状輪郭を有する乾燥機を備えた枚葉紙印刷機に関する。
【背景技術】
【０００２】
このような枚葉紙印刷機が特許文献１に図示されている。その乾燥機は明らかに機械式に固定して設置され、したがって機械のメンテナンスの際にじゃまである。
【特許文献１】ドイツ特許公開明細書３００１３５５Ａ１
【発明の開示】
【発明が解決しようとする課題】
【０００３】
したがって、本発明の目的は、メンテナンスが容易な枚葉紙印刷機を提供することにある。
【課題を解決するための手段】
【０００４】
上記目的は、請求項１の特徴を備えた枚葉紙印刷機によって達成される。
【０００５】
すなわち、胴の方に向けられ、かつ該胴に合った凹状輪郭を有する乾燥機を備えた、本発明の枚葉紙印刷機は、乾燥機が送風部と風案内部とに分割され、凹状輪郭が風案内部に形成され、送風部が風案内部に対して位置調整可能に支持されていることを特徴とする。
【０００６】
本発明の利点は、送風部を風案内部に対して位置調整することによって送風部を印刷機から取り出すことができ、それによって、メンテナンスのために必要な印刷機内部へのアクセスが可能となることである。
【０００７】
凹状輪郭は多角形の凹にしてもよく、特に湾曲、例えば円弧状に凹である。
【０００８】
次に、従属請求項に挙げた実施態様を簡単に説明する。
【０００９】
枚葉紙印刷機のメンテナンス性をさらに改善することに関して有利な実施態様では、風案内部が胴に対して作動位置と非作動位置とに選択的に位置調整可能に支持されている。
【００１０】
風案内部を多機能に使用することに関して有利な実施態様では、風案内部が実質的に格子状に形成されている。
【発明を実施するための最良の形態】
【００１１】
次に、本発明の実施の形態について図面を参照して説明する。
【００１２】
図１には、枚葉紙印刷機１が部分図で示されている。この部分図は、上に被印刷体枚葉紙３が載っている胴２と、胴２によって乾燥機４を通り過ぎて搬送される被印刷体枚葉紙３を乾燥させる乾燥機４を示している。胴２は平板オフセット用印刷ユニットの圧胴である。乾燥機４は熱風・赤外線組み合わせ乾燥機であり、枚葉紙印刷機１の機械フレームに恒久的に取り付けられた風案内部５と、モジュール式の送風部６を含んでいる。
【００１３】
風案内部５は胴２の外周と同心の凹状輪郭７を有し、回転ジョイント８によって、胴２に近い作動位置から、胴２と離れた非作動位置へと位置調整可能に支持されている。風案内部５を、図１において一点鎖線で示す非作動位置へと揺動させることによって、胴２をメンテナンス目的であらわにすることができる。
【００１４】
送風部６はスライドキャリアまたはローラ搬送器として、胴２の回転軸に平行な方向に、横木状またはレール状の直線案内９に沿って枚葉紙印刷機１の中に引き入れたり、枚葉紙印刷機１から外へ引き出したりすることができる。つまり、送風部６は枚葉紙印刷機１内にロック可能で、枚葉紙印刷機１から工具なしに取り出すことが可能なスライドユニットである。風案内部５は、機械フレームに固定されているので、送風部６の取り出しの際には枚葉紙印刷機１内に留まっている。
【００１５】
送風部６が枚葉紙印刷機１内に装着され、風案内部５が、送風部６と胴２の間の作動位置にあると、送風部６と、胴２によって搬送される被印刷体枚葉紙３の間の大きな間隔Ａは最低で４０ミリメータ、最大で１５０ミリメータになり、凹状輪郭７と被印刷体枚葉紙３の間の小さい間隔ｂは最小で１０ミリメータ、最大で４０ミリメータになる。良好な密封作用と高い効率を達成することに関しては、間隔ｂが小さく保たれることが有利である。
【００１６】
印刷動作時、風案内部５は、送風部６から吹き出された熱風を被印刷体枚葉紙３上に目標を特別に正確にして案内するだけでなく、被印刷体枚葉紙３のばたつき作用(Ｆｌａｔｔｅｒｅｆｆｅｋｔｅ)を抑える役目をする。風案内部５はこの場合、枚葉紙案内部材として機能し、その円弧状の凹部輪郭７でもって、胴２によって枚葉紙前縁において把持された被印刷体枚葉紙３ないしその枚葉紙後縁を案内する。
【００１７】
図２では、風案内部５が縦板１０と横板１１から骨格構造式に組立てられていることがわかる。縦板１０は被印刷体枚葉紙３の走行方向に平行に長さ方向に揃えられ、横棒１は枚葉紙走行方向に直角に、または胴２の回転軸に平行に長さ方向に揃えられている。凹状輪郭７は、横板１１から胴２の方向に突き出た縦板１０に形成されている。
【００１８】
風案内部５の骨組みを構成する縦板１０と横板１１は薄片状で、送風部６内の赤外線源から出射された赤外線光を反射し、被印刷体枚葉紙３上に導くために、反射コーティングが施された金属の薄板からなっている。反射コーティングが施された風案内部５によって、乾燥機４の上方および下方に配置された隣接構造部分(図示せず)を、熱光線ないし赤外光線から保護するために遮蔽することも保証される。原則的には、参照番号５で示す部分は多機能の乾燥機送風と被印刷体枚葉紙とＩＲ光線の案内部材である。
【００１９】
風案内部５の接続面１２と送風部６の接続面１３は互いに互換性があるような輪郭になっており、印刷運転時には、乾燥機４の分割をはっきりさせるのを優先する図１よりもはるかに密なレイアウトで(実際には隙間なしに)  互いにぴったり合う。
【図面の簡単な説明】
【００２０】
【図１】乾燥機を備えた枚葉紙印刷機の側面図である。
【図２】乾燥機の風案内部の平面図である。
【符号の説明】
【００２１】
１  枚葉紙印刷機
２  胴
３  被印刷体枚葉紙
４  乾燥機
５  風案内部
６  送風部
７  凹状輪郭
８  回転ジョイント
９  直線ガイド
１０  縦板
１１  横板
１２  接続面
１３  接続面
Ａ  大きい間隔
ｂ  小さい間隔
【図１】
2005125739.tif 000003
【図２】
2005125739.tif 000004
(57)【要約】【課題】  本発明の課題は、熱可塑性樹脂の亀裂や割れを、簡単な作業で補修し、その補修個所について、実用に十分な強度確保と優れた外観品質維持を両立させることである。【解決手段】  糸鋸状熱可塑性樹脂溶着用装置の赤熱した電熱線を、密着した亀裂や割れラインに沿って移動させることにより破面同士を溶着させ、実用に十分な強度を確保し、かつ溶着痕の小さい優れた外観品質を維持する。【選択図】  図１
2005125723.tif 000002
【特許請求の範囲】
【請求項１】
電熱線（１）、蝶ナット（２）および（３）、電熱線取り付け腕（４）および（５）、にぎり（６）、リード線（７）および（８）からなり、電熱線（１）は線径が０．２ｍｍから０．６ｍｍ、発熱温度２００℃以上、腕（４）と腕（５）間の長さ１００ｍｍから２５０ｍｍの糸鋸状熱可塑性樹脂溶着用装置
【発明の詳細な説明】
【技術分野】
【０００１】  本発明は熱可塑性樹脂の溶着に係わるものであり、詳しくはポリプロピレンやアクリロニトリルブタジエンスチレン（以下、ＡＢＳという）等の熱可塑性樹脂で作られた自動車のバンパー、内装部品及びバイクのカウル等の亀裂や割れの補修に関するものである。
【背景技術】
【０００２】  市場での樹脂部品の亀裂や割れの補修に対する要求は強く、従来の熱可塑性樹脂の亀裂や割れの補修には、接着によるもの、補強用の金属プレートとリベットによるもの、半田ごてでの溶着及びこれらの技術の組合せが知られている。【０００３】  しかしながら、従来の技術で述べたもののうち、接着によるものは接着強度不足及び乾燥時間が必要という問題点を有していた。【０００４】  補強用金属プレートとリベットによるものは外観不良という問題点を有していた。【０００５】  また、従来の半田ごてによるものは、先端部が尖っていたり、円筒状の形状のため、溶着の際、作業性が悪く、また、溶融部位が狭いため、溶着強度不足や外観不良の問題点を有していた。
【発明の開示】
【発明が解決しようとする課題】
【０００６】  本発明は、従来の技術に有するこのような問題点を鑑みてなされたものであり、その解決しようとする課題は、作業現場において、容易な溶着を可能にし、また、強度の確保や外観品質の改善を図ることである。
【課題を解決させるための手段】
【０００７】  本発明は、電熱線を亀裂の終点部に開けた小穴を通した後、電流を通して赤熱させ、亀裂のラインに沿って電熱線を移動させることにより、溶着させる。
【０００８】  なお、赤熱した電熱線を移動させる際、亀裂は密着していなくてはならない。
【０００９】  割れの場合は、割れの両端何れか一方から赤熱させた電熱線を通し、割れのラインに沿って電熱線を移動させることにより、溶着させる。
【００１０】  なお、赤熱した電熱線を移動させる際、割れは密着していなくてはならない。
【発明を実施するための最良の形態】
【００１１】  発明の実施の形態について図面を参照して説明する。【００１２】  図１において、電熱線（１）はＪＩＳ記号ＮＣＨＷ（Ｒ）１、ＮＣＨＷ（Ｒ）２、ＦＣＨＷ（Ｒ）１、ＦＣＨＷ（Ｒ）２の相当品およびカンタルＡ１相当品であり、通電時の電熱線温度は２００℃以上になるものとする。【００１３】  蝶ナット（２）および（３）は、電熱線の取り付け、取り外しを容易にするためのものであるが、バネ等によるワンタッチのクランプを用いても良い。【００１４】  電熱線取り付け腕（４）および（５）は、鉄等の導電性の金属で出来ており、通電時の電熱線の熱を放散るのに十分な表面積を持ち、其々にリード線（７）および（８）がリベット等で取り付けられている。【００１５】  にぎり（６）はプラスチックおよび木等の絶縁体で出来ており、円柱状、多角形状で両端に電熱線取り付け腕（４）および（５）が取り付けられているが、電熱線取り付け腕（４）と（５）は電気的に絶縁されている。【００１６】  リード線（７）および（８）は銅等の導電性金属より線の周りをＰＶＣやＴＰＥ等の絶縁体で被覆したものであり、電熱線（１）を十分に発熱させるための、直流および交流の電流を流せるものである。
【実施例】
【００１７】  以下、実施例を挙げて本発明を更に具体的に説明するが、本発明は、その要旨を超えない限り、これらの実施例に何ら制約されるものではない。【００１８】  被溶着材：ＡＢＳを素材とするバイクのシートカウル、肉厚３ｍｍ、亀裂長さ４５ｍｍ
電熱線（ＪＩＳ  ＮＣＨＷ（Ｒ）１）の線径：  ０．４ｍｍ
電熱線長さ：  １８０ｍｍ
亀裂終点穴あけ用ドリル径：  ０．５ｍｍ
電源：  ０から２２Ｖ可変、最大電流１５Ａの直流安定化電源
亀裂終点に径０．５ｍｍの穴を開け、そこに電熱線を通して、糸鋸状熱可塑性樹脂溶着用装置腕の両端に固定し、通電後、亀裂のラインに沿って糸鋸を進め、溶着する。【００１９】  結果、電熱線両端にリード線により７Ｖの電圧をかけて溶着試験をした結果、十分に接合部が溶着され、強度は母材のＡＢＳ並みにあり、溶着痕も殆ど目立たないことが確認された。【００２０】  評価結果を図２に示す。
【図面の簡単な説明】
【図１】  熱可塑性樹脂溶着用装置
【図２】  溶着試験評価結果
【図１】
2005125723.tif 000003
【図２】
2005125723.tif 000004